(57)【要約】【課題】  ディスクを回転自在に収容するハウジングに、ドライブ装置の記録再生ヘッドをディスクの表面にアクセスさせるための開口と、この開口を開閉するロータリーシャッターと、一端がロータリーシャッターに固着されるとともに他端がハウジングに固着され、ロータリーシャッターを閉方向に付勢する引張バネとを備えてなる小型ディスクカートリッジにおいて、ロータリーシャッターの開閉動作の安定化を図る。【解決手段】  下シャッタ部材７Ｄの外周に、下シャッタ部材７Ｄの回動面から半径方向外方に突出するガイド部１５を一体に形成し、これにより引張バネ１４が下シャッタ部材７Ｄとハウジングの下シェル４との隙間に入るのを防止して、ロータリーシャッター７の開閉動作を安定化させる。【選択図】        図１
2005276353.tif 000002
【特許請求の範囲】
【請求項１】
記録媒体としてのディスクを回転自在に収容するハウジングに、ドライブ装置の記録再生ヘッドを前記ディスクの表面にアクセスさせるための開口と、該開口を開閉するロータリーシャッターと、一端が該ロータリーシャッターに固着されるとともに他端が前記ハウジングに固着され、前記ロータリーシャッターを閉方向に付勢する引張バネとを備えてなる小型ディスクカートリッジにおいて、
前記ロータリーシャッターの外周部に前記引張バネが前記ロータリーシャッターと前記ハウジングとの隙間に入るのを防止するガイド部が形成されていることを特徴とする小型ディスクカートリッジ。
【請求項２】
前記ガイド部が、前記ロータリーシャッターの回動面の少なくとも一部を前記ロータリーシャッターの外周からさらに外方に延伸させることにより形成されたものであることを特徴とする請求項１記載の小型ディスクカートリッジ。
【発明の詳細な説明】
【技術分野】
【０００１】
本発明は、ハウジング内にディスクを回転自在に収容してなる小型ディスクカートリッジに関し、特にハウジングに形成された記録再生ヘッドアクセス用の開口を開閉するためのロータリーシャッターの開閉動作の安定化に関するものである。
【背景技術】
【０００２】
従来、デジタルカメラ等のモバイル機器においては、記録媒体として例えば特許文献１に記載されているような超小型の磁気ディクカートリッジが使用されている。
【０００３】
この小型ディスクカートリッジ１は、図３（ａ）〜（ｃ）にそのロータリーシャッター７が閉状態にある平面図、右側面図および底面図を、図４（ａ），（ｂ）にロータリーシャッター７が開状態にある平面図および底面図を、図５にその分解斜視図をそれぞれ示すように、押込み部２ａを含む樹脂製のフレーム２と、金属薄板からなる上下シェル３，４とによって構成された、幅５０ｍｍ、奥行き５５ｍｍ、厚さ１．９５ｍｍの扁平なハウジング内に、直径４６．５ｍｍの磁気ディスク５を回転自在に収容している。
【０００４】
この小型ディスクカートリッジ１は、図示しないドライブ装置に挿入態様で装填されるように構成され、そのハウジングには、ドライブ装置が備えている磁気ヘッド（記録再生ヘッド）を磁気ディスク５の表面にアクセスさせるためのＶ字状の開口部６と、この開口部６を開閉するためのロータリーシャッター７とが設けられている。
【０００５】
ハウジングの開口部６とほぼ同一形状の開口部７ａを備えたロータリーシャッター７は、互いに係合された上下のシャッタ部材７Ｕ、７Ｄ（図５参照）からなり、上シャッタ部材７Ｕは上シェル３に、下シャッタ部材７Ｄは下シェル４にそれぞれ回転可能に軸支されている。そして、磁気ディスク５と上下のシャッタ部材７Ｕ、７Ｄとの間には、それぞれライナー１８が介挿されている。
【０００６】
また、図３（ａ）におけるハウジングの左側面先端部には、ドライブ装置の係合部材に係合させて、ドライブ装置内での位置決めを確実にするためのノッチ８が形成され、右側面先端部には、ロータリーシャッター７を閉位置にロックするためのシャッタロック部材１１を外部に臨ませる小窓９が図３（ｂ）に示すように形成されている。
【０００７】
ハウジングの下シェル４には、磁気ディスク５のセンタコア１０を外部に臨ませる円形の中心孔４ａと、ロータリーシャッター７と同心的な円弧状溝４ｂとが形成され、下シャッタ部材７Ｄには、上記円弧状溝４ｂから突出しかつこの円弧状溝４ｂに沿って移動してロータリーシャッター７を開閉するシャッタノブ７ｂが固設されている。
【０００８】
特許文献１では、金属線からなるガイドワイヤーを通した圧縮コイルバネを使って、上シャッター部材７Ｕと下シャッター部材７Ｄとからなるロータリーシャッター７を閉方向に付勢しているが、より部品点数の少ないものとして、ガイドワイヤーを使用しない引張バネを利用する方法が考えられている。図６はその態様を説明するものであり、図６（ａ）は小型ディスクカートリッジ１のロータリーシャッター７が閉位置にあるときの状態を、図６（ｂ）はロータリーシャッター７が開位置にある状態を、それぞれシャッタロック部材１１を残して上シェル３のみを取り除きかつ磁気ディスク５を省略して示す平面図である。
【０００９】
ロータリーシャッター７を閉位置にロックするシャッタロック部材１１は、ロータリーシャッター７の外周に形成された係合凹部７ｃに係入し得る係合凸部１１ａを先端に備えて、上シェル３に設けられた軸１２に回動自在に取り付けられているとともに、バネ板１１ｂによって、上記係合凸部１１ａが上記係合凹部７ｃに係入し得る方向（図６の反時計方向）にバネ付勢されている。
【００１０】
そして、小型ディスクカートリッジ１がドライブ装置へ挿入される際に、ドライブ装置のロック解除部材が小窓９を通してシャッタロック部材１１を押圧することにより、ロック部材１１が時計方向に僅かに回動されて、係合凸部１１ａが係合凹部７ｃから脱出することによって、ロータリーシャッター７のロックが解除される。
【００１１】
ロータリーシャッター７は、引張バネ１４によって閉方向（図６の反時計方向）にバネ付勢されている。引張バネ１４は、フレーム２の右端におけるロータリーシャッター７の外周面に対向する部位２ｂに形成された第１バネ係止部Ａにおいて一端を係止され、他端は、第１バネ係止部Ａよりもロータリーシャッター７の開方向側においてロータリーシャッター７に形成された第２バネ係止部Ｂに係止されて、フレーム２とロータリーシャッター７の外周縁との間に形成された円弧状のバネガイド溝２ｃ内に収容され、ロータリーシャッター７の開動作に伴って、図６（ｂ）に示すように延伸される。
【００１２】
そして、小型ディスクカートリッジ１がドライブ装置に挿入されると、先ずロック解除部材がシャッタロック部材１１を押圧してロータリーシャッター７のロック状態を解除し、その状態でシャッタノブ７ｂがドライブ装置のシャッタノブ係止壁に係合するから、小型ディスクカートリッジ１の押し込みに伴ってロータリーシャッター７が引張バネ１４を延伸しながら回動されて、図４（ａ），（ｂ）および図６（ｂ）に示すように開状態となる。
【特許文献１】米国特許第６２５６１６８号明細書
【発明の開示】
【発明が解決しようとする課題】
【００１３】
ところで、上述の小型ディスクカートリッジ１においては、ロータリーシャッター７とハウジングとの摺動摩擦を軽減させるために、ロータリーシャッター７の回転中心付近をハウジング方向に膨出させて、この部分のみハウジングと接触させるようにしているため、ロータリーシャッター７の縁周部ではハウジングとの間に隙間を生じており、さらにハウジング内の空間にはロータリーシャッターの回転を円滑に行わせるために寸法に余裕があるため、ロータリーシャッター７を付勢するバネに引張バネ１４を用いると、ロータリーシャッター７が開位置にあるとき、すなわち引張バネ１４が引っ張られている状態のときに、自身の復元力によって引張バネ１４がロータリーシャッター７とハウジングとの隙間に入ろうとするため、ロータリーシャッター７の開閉動作が不安定となってしまうという問題のあることが新たに判明した。
【００１４】
本発明は上記問題に鑑みてなされたものであり、記録媒体としてのディスクを回転自在に収容するハウジングに、ドライブ装置の記録再生ヘッドをディスクの表面にアクセスさせるための開口と、この開口を開閉するロータリーシャッターと、一端がロータリーシャッターに固着されるとともに他端がハウジングに固着され、ロータリーシャッターを閉方向に付勢する引張バネとを備えてなる小型ディスクカートリッジにおいて、ロータリーシャッターの開閉動作の安定化を図ることを目的とするものである。
【課題を解決するための手段】
【００１５】
本発明による小型ディスクカートリッジは、記録媒体としてのディスクを回転自在に収容するハウジングに、ドライブ装置の記録再生ヘッドをディスクの表面にアクセスさせるための開口と、開口を開閉するロータリーシャッターと、一端がロータリーシャッターに固着されるとともに他端がハウジングに固着され、ロータリーシャッターを閉方向に付勢する引張バネとを備えてなる小型ディスクカートリッジにおいて、ロータリーシャッターの外周部に引張バネがロータリーシャッターとハウジングとの隙間に入るのを防止するガイド部が形成されていることを特徴とするものである。
【００１６】
ガイド部は、ロータリーシャッターの回動面の少なくとも一部をロータリーシャッターの外周からさらに外方に延伸させることにより形成することができる。なお、回動面とは、ハウジングと摺接する面板部を意味する。
【発明の効果】
【００１７】
本発明によれば、記録媒体としてのディスクを回転自在に収容するハウジングに、ドライブ装置の記録再生ヘッドをディスクの表面にアクセスさせるための開口と、開口を開閉するロータリーシャッターと、一端がロータリーシャッターに固着されるとともに他端がハウジングに固着され、ロータリーシャッターを閉方向に付勢する引張バネとを備えてなる小型ディスクカートリッジにおいて、ロータリーシャッターの外周部にガイド部を形成して引張バネがロータリーシャッターとハウジングとの隙間に入るのを防止したことにより、ロータリーシャッターの開閉動作を安定化させることができる。
【発明を実施するための最良の形態】
【００１８】
以下、本発明の実施の形態について、図面を参照して詳細に説明する。
【００１９】
図１は、本発明によるディスクカートリッジの一実施の形態を示す要部の分解斜視図、図２は図１のガイド部付近の拡大断面図である。
【００２０】
本実施の形態は、下シャッタ部材７Ｄの構成を除き、図３〜図６を参照して説明した従来の小型ディスクカートリッジ１と同様の構成を有するから、同一部材には同一符号を付し、重複する説明は省略する。
【００２１】
図１には、フレーム２と、ロータリーシャッター７の下シャッタ部材７Ｄと、ハウジングの下シェル４と、ロータリーシャッター７を閉方向に付勢する引張バネ１４のみが示されており、フレーム２に設けられた第１バネ係止部Ａに一端を係止された引張バネ１４の他端には、ループ１４ａが形成されている。
【００２２】
下シャッタ部材７Ｄの外周には、下シャッタ部材７Ｄの回動面から半径方向外方に突出する係止用ベース部１３が一体に形成され、このベース部１３のロータリーシャッター開方向側の縁部に、引張バネ１４の他端のループ１４ａを嵌着係止する折曲げ片１３ａが形成されて、第２バネ係止部Ｂを構成している。
【００２３】
さらに、下シャッタ部材７Ｄの外周には、下シャッタ部材７Ｄの回動面から半径方向外方に突出するガイド部１５が一体に形成されており、これにより、図２に示すように引張バネ１４が下シャッタ部材７Ｄとハウジングの下シェル４との隙間に入り込むのを防止することができるため、ロータリーシャッター７の開閉動作を安定化させることができる。
【００２４】
なお、本実施の形態では、上記のようなガイド部を下シャッタ部材のみに設けたが、上シャッタ部材のみに形成してもよいし、上シャッタ部材および下シャッタ部材の両方に形成してもよい。
【図面の簡単な説明】
【００２５】
【図１】本発明の一実施の形態の小型ディスクカートリッジの要部の分解斜視図
【図２】図１の小型ディスクカートリッジのガイド部付近の拡大断面図
【図３】従来の小型ディスクカートリッジのロータリーシャッターの閉状態を示す平面図（ａ）、右側面図（ｂ）および底面図（ｃ）
【図４】図３の小型ディスクカートリッジのロータリーシャッターの開状態を示す平面図（ａ）および底面図（ｂ）
【図５】図３の小型ディスクカートリッジの分解斜視図
【図６】図３の小型ディスクカートリッジの、ロータリーシャッターの閉状態を上シェルを取り除きかつ磁気ディスクを省略して示す平面図（ａ）、ロータリーシャッターの開状態を上シェルを取り除きかつ磁気ディスクを省略して示す平面図（ｂ）
【符号の説明】
【００２６】
２    フレーム
３    上シェル
４    下シェル
５    磁気ディスク
７    ロータリーシャッター
７Ｕ    上シャッタ部材
７Ｄ    下シャッタ部材
１３    係止用ベース部
１３ａ    折曲げ片
１４    引張バネ
１５    ガイド部
Ａ    第１バネ係止部
Ｂ    第２バネ係止部
【図１】
2005276353.tif 000003
【図２】
2005276353.tif 000004
【図３】
2005276353.tif 000005
【図４】
2005276353.tif 000006
【図５】
2005276353.tif 000007
【図６】
2005276353.tif 000008